(57)【要約】【課題】高速道走行時のみ奏功する簡便な構成のエアスポイラを提供すること。【解決手段】  トラック荷台の後端面に形成されるエアスポイラ１であって、展開時には、背面Ｒと略同形である接合面から後ろ方向に延伸し、当該接合面から左右対称に先細り形状を形成する、折りたたみ可能で柔軟な中空袋体２と、中空袋体２に接合し、外気または排気ガスを中空袋体に送り込んで中空袋体を展開する送風管３と、を備え、封入もしくは排出する空気の量により、展開もしくは後端面部分への収納を可能にしたことを特徴とするエアスポイラである。【選択図】図２
0003125526.tif 000002
【実用新案登録請求の範囲】
【請求項１】
箱形トラックの荷台の後端面に形成されるエアスポイラであって、
展開時には、後端面と略同形である接合面から後ろ方向に延伸し、当該接合面から左右対称に先細り形状を形成する、折りたたみ可能で柔軟な中空袋体と、
中空袋体に接合し、外気または排気ガスを中空袋体に送り込んで中空袋体を展開する送風管と、
を備え、
封入もしくは排出する空気の量により、中空袋体の展開もしくは後端面部分への収納を可能にしたことを特徴とするエアスポイラ。
【請求項２】
後端面が観音開きの扉により構成され、
中空袋体には収納時に片側の扉からはみ出ないように所定方向に折りたたまれる折り癖が形成されていることを特徴とする請求項１に記載のエアスポイラ。
【請求項３】
後端面に保持され展開によってもその地上からの高さを変えない骨材であって、中空袋体の稜線のうち少なくとも接合面上端から後ろ方向に延伸する稜線部分を保持する骨材を有することを特徴とする請求項１または２に記載のエアスポイラ。
【請求項４】
平ボディ型トラックの荷台上方にキャビン背面から形成されるエアスポイラであって、
展開時には、キャビン背面と略同形である接合面から後ろ方向に延伸し、当該接合面と、荷台面と略同形の底面と、キャビン上部から底面の後端部になめらかに接合する整流面と、側面と、からなる、柔軟な中空袋体と、
中空袋体に接合し、外気または排気ガスを中空袋体に送り込んで中空袋体を展開する送風管と、
を備え、
封入もしくは排出する空気の量により、展開もしくはキャビン背面部分またはキャビン上面部分への収納を可能とし、同時に積載荷物を底面により被覆可能にしたことを特徴とするエアスポイラ。
【請求項５】
整流面後端の左右の角部分または底面後端の左右の角部分に、荷台後端の左右の角部分に係止させる係止部を設けたことを特徴とする請求項４に記載のエアスポイラ。
【請求項６】
中空袋体に空気を封入し、または、中空袋体から空気を排出する電動ブロアを備えたことを特徴とする請求項１〜５のいずれか一つに記載のエアスポイラ。
【考案の詳細な説明】
【技術分野】
【０００１】
本考案は、エアスポイラに関し、特に、展開および収納が可能なエアスポイラに関する。
【背景技術】
【０００２】
近年、郵便、宅配、その他の配達業の業務量の増加に伴い、トラック輸送量が増大しつつある。特に、大都市圏では基幹中継店舗を構え、基幹中継店舗間を高速道を介して荷をトラックにより輸送している。
【０００３】
輸送トラックは、大型であるほど大量の荷を配送でき、単位荷物あたりの高速料金が割安となる。従って、高速道を走行する輸送トラックは大型化しているのが現状である。このような輸送トラックはほとんどの場合が箱形で、後部が観音開きとなり荷の出し入れがされている。
【０００４】
従来では、このように大型トラックによる基幹中継店間の輸送を構築することにより、効率的な配送が可能となっていた。
【０００５】
【特許文献１】特開２０００−１７７６５５号公報
【特許文献２】特開２００５−２５４８３１号公報
【考案の開示】
【考案が解決しようとする課題】
【０００６】
しかしながら、従来では以下の問題点があった。
すなわち、トラックが大型化すれば、単位荷物あたりの高速料金は問題とならないほど低廉となるのに反し、ガソリン代は高速料金ほどスケールメリットが出せないという問題点があった。従って、燃費を向上させる方策が種々検討されている。一つには、エアスポイラを取り付けるという方法がある。
【０００７】
しかしながら、空気抵抗を低減する多くの車両用エアスポイラは、固定物もしくは構造物であるため低速走行時や市街地走行には必要なく、突起物となり実用性に欠けていた。
【０００８】
特に、トラックでは荷室部分を最大限に確保しなければならず、車両の全長、全幅、高さおよび重量の制限があり空気抵抗低減のためのエアスポイラの標準装備には制約がでてくる。
【０００９】
また、平ボディ型トラックの場合は、積載荷物が毎回異なるので、定型のエアスポイラを被せることができず、また、シートを被せるとしても、構造的にキャビン後部に段差ができてしまい、シートも直線的であるので、ばたつきも発生してしまうという問題点があった。これらは、結局は空気抵抗を増加させてしまい、燃費が悪くなってしまう。
【００１０】
本考案は上記に鑑みてなされたものであって、高速道走行時のみ奏功する簡便な構成のエアスポイラを提供することを目的とする。
【００１１】
また、平ボディ型トラックに対して奏功する簡便な構成のエアスポイラを提供することを目的とする。
【課題を解決するための手段】
【００１２】
上記の目的を達成するために、請求項１に記載のエアスポイラは、箱形トラックの荷台の後端面に形成されるエアスポイラであって、展開時には、後端面と略同形である接合面から後ろ方向に延伸し、当該接合面から左右対称に先細り形状を形成する、折りたたみ可能で柔軟な中空袋体と、中空袋体に接合し、外気または排気ガスを中空袋体に送り込んで中空袋体を展開する送風管と、を備え、封入もしくは排出する空気の量により、中空袋体の展開もしくは後端面部分への収納を可能にしたことを特徴とする。
【００１３】
すなわち、請求項１に係る考案は、高速道走行時はエアスポイラが展開してトラック後端部が流線形に形成され、一般道走行時はエアスポイラが収容される。これにより、高速道走行時は空気抵抗が低減する結果、燃費が向上し、また、一般道走行時は車の旋回等の操舵性を常態とすることができる。また、袋体に空気を入出させるだけでエアスポイラの展開収納をおこなうので適時に簡便な操作を可能とする。なお、左右対称な先細り形状とは、例えば、三角柱が接合した形状であっても、楕円体形状でもよい。また、折りたたみ可能で柔軟な素材として、テント生地、帆布などを挙げることができる。このとき、例えばＦＲＰ素材と組み合わせても良い。更には、共振防止のため、いくつかのセパレーションを中空袋体に形成しても良い。また、後端面とは一般的には背面を意味する。後端面は略長方形の場合が多いが、ここでいう箱形トラックはコンテナその他の収容庫を具備するトラックを意味し、いわゆる、バン型、ウィング型、保冷庫型を含むものであって、平ボディ型に対する用語であるので、タンクローリーのように楕円形であったり、曲率や凹凸がついたものであってもよい。
【００１４】
また、請求項２に記載のエアスポイラは、請求項１に記載のエアスポイラにおいて、後端面が観音開きの扉により構成され、中空袋体には収納時に片側の扉からはみ出ないように所定方向に折りたたまれる折り癖が形成されていることを特徴とする。
【００１５】
すなわち、請求項２に係る考案は、観音開きの扉であってもエアスポイラが邪魔になることなく装備可能となり、また、折り癖が形成されていることにより、空気の入出だけで容易に展開収容が可能となる。
【００１６】
また、請求項３に記載のエアスポイラは、請求項１または２に記載のエアスポイラであって、後端面に保持され展開によってもその地上からの高さを変えない骨材であって、中空袋体の稜線のうち少なくとも接合面上端から後ろ方向に延伸する稜線部分を保持する骨材を有することを特徴とする。
【００１７】
すなわち、請求項３に係る考案は、骨材により袋体が保持されるので、袋体のばたつきをなくし、効率的に整流することが可能となる。なお、骨材の後端面への保持および水平方向への展開は、例えば、骨材をヒンジにより取り付ける態様が挙げられる。袋体の収容方法によっては、骨材が相対的に長尺となる場合があるが、このような場合には、骨材を中途で所定方向のみに折り曲げられるように中途にヒンジ構造を設けて、袋体に追従するようにしてもよい。
【００１８】
また、請求項４に記載のエアスポイラは、平ボディ型トラックの荷台上方にキャビン背面から形成されるエアスポイラであって、展開時には、キャビン背面と略同形である接合面から後ろ方向に延伸し、当該接合面と、荷台面と略同形の底面と、キャビン上部から底面の後端部になめらかに接合する整流面と、側面と、からなる、柔軟な中空袋体と、中空袋体に接合し、外気または排気ガスを中空袋体に送り込んで中空袋体を展開する送風管と、を備え、封入もしくは排出する空気の量により、展開もしくはキャビン背面部分またはキャビン上面部分への収納を可能とし、同時に積載荷物を底面により被覆可能にしたことを特徴とする。
【００１９】
すなわち、請求項４に係る考案は、走行時には荷物を被覆するとともに荷台上部が流線形に形成され空気抵抗を低減し、荷物の上げ下ろしの際には、エアスポイラが収容されるため邪魔にならず、作業性が向上する。また、袋体に空気を入出させるだけでエアスポイラの展開収納をおこなうので適時に簡便な操作を可能とする。なお、中空袋体の素材として、テント生地、帆布、ゴム素材などを挙げることができる。このとき、例えばＦＲＰ素材と組み合わせても良い。更には、共振防止のため、いくつかのセパレーションを中空袋体に形成しても良い。
【００２０】
また、請求項５に記載のエアスポイラは、請求項４に記載のエアスポイラにおいて、整流面後端の左右の角部分または底面後端の左右の角部分に、荷台後端の左右の角部分に係止させる係止部を設けたことを特徴とする。
【００２１】
すなわち、請求項５に係る考案は、荷物の被覆を強固なものとし、また、ばたつきをより効果的に抑制可能となる。なお、整流面後端の左右の角部分と底面後端の左右の角部分は、両方の面が接合する場所であるので、実質的に同一の部分を示す。
【００２２】
また、請求項６に記載のエアスポイラは、請求項１〜５のいずれか一つに記載のエアスポイラにおいて、中空袋体に空気を封入し、または、中空袋体から空気を排出する電動ブロアを備えたことを特徴とする。
【００２３】
すなわち、請求項６に係る考案は、スイッチ一つで迅速な展開収容を可能とする。なお、中空袋体にかける圧力としては、例えば、人が息を葺くときの圧力（約０．１ｋｇ／ｃｍ２〜０．２ｋｇ／ｃｍ２）が目安である。
【考案の効果】
【００２４】
本考案によれば、簡便にエアスポイラを展開して燃費を向上させることが可能となる。
【考案を実施するための最良の形態】
【００２５】
＜実施の形態１＞
以下、本考案の実施の形態を図面を参照しながら詳細に説明する。
図１は、本考案のエアスポイラを箱形トラックの荷台後部に装着し、展開したときの概略斜視図である。図示したように、箱形の配送トラックＴの背面Ｒにエアスポイラ１が展開されている。エアスポイラ１は、中空の袋体２と、袋体２に排気ガスの一部を送り込む送風管３と、ヒンジにより展開可能な骨材４と、により構成される。
【００２６】
袋体２は、テント生地により構成される。テント生地は丈夫で気密性があるため、空気を封入するのに都合がよいからである。図示したように、本実施の形態では、袋体２は先細りの三角柱形状に似た形状であり、側面Ｓがやや弧を描くように形成されている。また、上部は水平であるが、下部は上に向かって斜めに切り取られた形状となっている。斜めに切り取ることで、後方車両に対する圧迫感をなくし、また、ナンバープレートその他の視認性をよくする。また、袋体が空気漏れ等の何らかの原因で垂れ下がった場合であっても、接地させなくすることも可能となる。側面Ｓが弧状であるため、平面の場合に比し、整流効率が高まり、また、下部を斜めに切り取った構造とすることにより、地面付近の乱流を効率的に拡散できる。また、袋体２は、折り癖が付けられており、収容時に袋体が車体からはみ出さないようにされている。なお、図示したように、袋体２は、内部を３室に分けており、共振を効率的に防止可能としている。
【００２７】
送風管３は、排気ガスを取り込む導管であり、袋体２の下面に接続されている。接合部分は、袋体２の生地を２枚重ねとして強度を保つようにしている。なお、袋体２が密閉されているため、展開完了後は適宜送風を止めるように制御する。
【００２８】
次に骨材を説明する。図２は、エアスポイラ部分の斜視図であって、展開途中の様子を示した模式図である（図では便宜的に袋体を透明に描いている）。また、図３は、収納時のエアスポイラの骨材を上方から眺めた図である。骨材４は、右手骨材４１と左手骨材４２により構成されている。右手骨材４１は緩やかに弧を描いた一本のパイプであり、トラックの背面Ｒに取り付けられ、ヒンジ構造Ｈにより高さを変えることなく水平方向に回動可能に取り付けられている。また、左手骨材４２は、いずれもパイプである第１左手骨材４２ａと第２左手骨材４２ｂとからなり、第１左手骨材４２ａは、右手骨材４１と同様にヒンジ構造Ｈにより背面Ｒに取り付けられ、第１左手骨材４２ａの他端と第２左手骨材４２ｂとの間もヒンジ構造Ｈ’により内側に折りたたみ可能となっている。左手骨材４２も、展開が完了したときには右手骨材４１と対称な弧形状を描く（図１参照）。なお、右手骨材４１と左手骨材４２との接合部分もヒンジ構造Ｈ’と同様になっている。
【００２９】
骨材４は、袋体２の上部の二辺を保持するように背面Ｒにネジ留めして接合されている。これにより、トラック走行時の袋体２のばたつきを効率的に抑制可能となり、また高速道でカーブする際の左右両面の空気圧の差による袋体２の変形も防止できる。すなわち、骨材４は、袋体２の姿勢を規制するように作用する。
【００３０】
なお、図では、骨材４は、袋体２上部の二辺のみの保持であるが、使用の態様によっては、総ての稜線にあてがうようにしてもよい。
【００３１】
以上説明したように、実施の形態１のエアスポイラによれば、適時に簡便に展開、収容が可能となる。従って、運転手は高速道に入った際にエスケープゾーンなどで適宜駐車し、エアスポイラ１を展開し、燃費のよい高速道走行に備えることができる。なお、本実施の形態ではヒンジを背面Ｒにネジ留めする構成について説明したが、例えば、骨材４端部をＬ字に形成し、このパイプをちょうど差し込める受け軸を背面Ｒに形成し、骨材を差し込むようにして簡便な取付け取り外しを可能としてもよい。また、フックにより係止する態様であってもよい。またベルトによる締め付けにより固定を強固にする態様であっても良い。このようにすれば、簡便な装脱が可能となる。
【００３２】
なお、ほとんどの箱形トラックの背面構造として採用されている観音開きタイプの荷台に適用する場合は、毎回装脱する態様でなく、扉片面に固着させておくこともできる。図４は、観音開きの扉の片側にエアスポイラを装着した様子を示した図である。図示したように、袋体２を略正三角形の形状とすることにより、収縮の際は片側の扉に三つ折りに畳んで収容可能となる。
【００３３】
なお、図示した例では骨材がない場合を示しているが、骨材がない場合には、後続車が追突した際であっても、衝撃を緩和できるという効果も有し、エアバックとしても機能するといえる。
【００３４】
以上の各種構成は、種々の改変が可能である。例えば、袋体を帆布などで構成することもできる。このときは空気漏れによる収縮を防止するため、エアコンプレッサを介した電動ブロアにより空気を供給することもできる。電動ブロアは、迅速に吸排気が可能となるので、収縮展開作業を短時間におこなうことが可能となる。また、条件によっては排気ガスを常時流入させる態様も可能である。この場合は、帆布内面に着脱可能なフィルタを装着すれば、排ガスの清浄化に資することとなる。この他、大型トラックの場合には、ブレーキ用にコンプレッサが装備されているのでこのコンプレッサを共用するようにしても良い。
【００３５】
＜実施の形態２＞
実施の形態２では、平ボディ型のトラックに本考案のエアスポイラを装着した例について説明する。図５は、平ボディ型のトラックに本考案のエアスポイラを装着した様子を示した外観斜視図である。図示したように、平ボディ型の配送トラックＴ’のキャビン背面Ｒ’にエアスポイラ５１が展開されている。エアスポイラ５１は、中空の袋体５２と、袋体５２に排気ガスの一部を送り込む送風管５３と、電動ブロア５４により構成される。
【００３６】
袋体５２は、図示したように、底面が荷台に積まれた積載物を覆い、上面が後尾にかけてなだらかな曲線を描くように構成された中空の袋である。このうち、底面部分はゴム素材でできており、積載物の表面形状に追従し、所定の張力をもって積載物を安定的に荷台の床面に固定する。一方、上面はちょうど飛行機の翼のように流線形となっているので、キャビン背後への空気の流れを整流し、空気抵抗を軽減する。なお、袋体５２のキャビンの背面部分の接合面と側面は整流に適した形状となっている。図の例ではトラックの長手方向の鉛直切断面は同形としているが、整流されるのであれば特に限定されず、例えば、側面と上面との境界が明瞭でなくとも良い。
【００３７】
袋体５２は、電動ブロア５４により積載物を被覆するように展開したり、収縮したりする。図６は、エアスポイラの収容の様子を示した説明図である。電動ブロア５４により袋体５２の中の空気が吸引されたのちは、接合面側に巻き取られるように収縮する。電動ブロア５４の作動のみにより、積載物の被覆暴露が可能となり、簡便な操作が可能となる。
【００３８】
なお、トラックＴ’の荷台後尾の左右の角には爪５５が形成され、これと袋体５２の端部の係止孔５６とにより、袋体５２の端部の固定が確実となり、ばたつきも防止される。なお、図では、左右に二箇所のみに爪５５が配備されるが、床から所定の高さに何段か爪を設けることにより、所望の張りを持たせることができる。また、この例では、荷台後尾の角の係止を説明したが、適宜、側面側にも設けるようにしても良い。
【００３９】
以上説明したように、実施の形態２のエアスポイラによれば、積載物を安定的に保持し、燃費も向上可能となる。なお、この例ではエアスポイラをキャビン背面に収容（減容）する態様を示したが、例えば、ウインドデフレクター（導風板）内に収容するようにするようにしても良い。
【産業上の利用可能性】
【００４０】
本考案は、輸送車両全般に適用することが可能である。
【図面の簡単な説明】
【００４１】
【図１】エアスポイラを箱形トラックの荷台後部に装着し、展開したときの概略斜視図である。
【図２】エアスポイラ部分の斜視図であって、展開途中の様子を示した模式図である。
【図３】収納時のエアスポイラを上方から眺めた図である。
【図４】観音開きの扉の片側にエアスポイラを装着した様子を示した図である。
【図５】平ボディ型のトラックにエアスポイラを装着した様子を示した外観斜視図である。
【図６】エアスポイラの収容の様子を示した説明図である。
【符号の説明】
【００４２】
１，５１          エアスポイラ
２，５２          袋体
３，５３          送風管
４        骨材
４１     右手骨材
４２     左手骨材
５４     電動ブロア
５５     爪
５６     係止孔
Ｈ，H’          ヒンジ構造
Ｒ，Ｒ’          背面
Ｓ        側面
Ｔ，Ｔ’          配送トラック
【図１】
0003125526.tif 000003
【図２】
0003125526.tif 000004
【図３】
0003125526.tif 000005
【図４】
0003125526.tif 000006
【図５】
0003125526.tif 000007
【図６】
0003125526.tif 000008